(57)【要約】【課題】折畳状態と組立状態との変換を簡単かつ確実に行うことができ、組立状態で安定する陳列台を提供する。【解決手段】周壁が各一対の脚板１１及び側板１２から形成され、一対の脚板１１の上端に天板１４が連設され、側板１２の上端から延びる連結片１６の斜折線１７より外側の部分が隣り合う天板１４の裏面に貼り着けられ、折畳状態では、連結片１６が斜折線１７を軸に折り曲げられて、一対の天板１４が跳ね上げられると共に、一対の側板１２が谷折線１５を軸に内側へ折り込まれ、組立状態では、一対の天板１４が先端側を降下させるように脚板１１から折り曲げられ、一対の側板１２の谷折線１５を軸とする折り曲げが伸ばされ、連結片１６の斜折線１７を軸とする折り曲げが伸ばされて、一対の天板１４の先端の差込片１８が連結片１６の間に差し込まれるようにする。【選択図】図２
2019213655.tif 000002
【特許請求の範囲】
【請求項１】
周壁を形成する各一対の脚板(11)及び側板(12)が連設され、前記一対の脚板(11)の上端には、天壁を形成する天板(14)がそれぞれ連設され、前記一対の側板(12)には、奥行方向の中央部で上下に延びる谷折線(15)がそれぞれ入れられ、
前記側板(12)の上端には、谷折線(15)の両側にそれぞれ連結片(16)が連設され、前記連結片(16)には、前記脚板(11)との境界側の角から先端側へかけて内方向に傾斜する斜折線(17)が入れられ、前記連結片(16)の斜折線(17)より外側の部分が隣り合う前記天板(14)の裏面に貼り着けられ、前記天板(14)の先端には、それぞれ差込片(18)が連設されて下方へ折り曲げられ、
折畳状態では、前記連結片(16)が斜折線(17)を軸に折り曲げられて、前記一対の天板(14)が跳ね上げられると共に、前記一対の側板(12)が谷折線(15)を軸に内側へ折り込まれ、これに伴い、前記一対の脚板(11)同士が接近し、
組立状態では、前記一対の天板(14)が先端側を降下させるように前記脚板(11)から折り曲げられて、これに伴い、前記一対の側板(12)の谷折線(15)を軸とする折り曲げ及び前記連結片(16)の斜折線(17)を軸とする折り曲げが伸ばされ、前記一対の脚板(11)同士が離反して、周壁が角筒状となり、前記差込片(18)が突き合わされて前記連結片(16)の間に差し込まれ、前記一対の天板(14)が前記連結片(16)によって支持される陳列台。
【請求項２】
前記一対の天板(14)の差込片(18)同士が連結部材(3)により連結され、前記連結部材(3)には、前記差込片(18)の先端間に延びる中折線(31)が入れられ、
折畳状態と組立状態との変換に際し、前記連結部材(3)が前記中折線(31)を軸として屈伸し、前記一対の天板(14)が連動することを特徴とする請求項１に記載の陳列台。
【請求項３】
前記一対の側板(12)の内側に平行するように、前記一対の脚板(11)の内面間に補強部材(2)が渡され、前記補強部材(2)にも前記側板(12)と同様に谷折線(23)が入れられ、
折畳状態と組立状態との変換に際し、前記側板(12)と前記補強部材(2)とがそれらの前記谷折線(15,23)を軸に同調して屈伸し、組立状態では、前記一対の天板(14)が前記補強部材(2)の上端縁でも支持されることを特徴とする請求項１又は２に記載の陳列台。
【請求項４】
前記補強部材(2)には、前記谷折線(23)の上端から差込溝(24)が形成され、前記差込溝(24)の開口部寄りには、溝幅を狭める抜止突起(25)が設けられ、
組立状態では、前記一対の天板(14)の差込片(18)が前記差込溝(24)に差し込まれ、前記連結部材(3)が前記抜止突起(25)より奥まで達して、前記抜止突起(25)に係合することにより、前記差込溝(24)から抜け止めされ、前記天板(14)が固定されることを特徴とする請求項３に記載の陳列台。
【発明の詳細な説明】
【技術分野】
【０００１】
この発明は、商品の陳列等に使用される組立式の陳列台に関するものである。
【背景技術】
【０００２】
従来、地域特産品や季節商品等の売場においては、木製の机や置台を陳列台として使用し、これにテーブルクロスを被せたり、装飾を施したりして、見映えをよくし、訴求性を向上させることとしている。
【０００３】
ところが、このようなディスプレイでは、陳列作業時の組み立てに手間がかかるほか、販売期間終了後の机等の保管に大きなスペースを要し、特に、遠方での設置となる場合、資材の保管のための倉庫容積や運賃コストが嵩むという問題がある。
【０００４】
その対策として、例えば、下記特許文献１に記載されたように、折畳状態から組み立てて商品を載せる段ボール製の陳列台の使用が考えられる。
【０００５】
この陳列台は、角筒状の本体の上部にトレイが支持されたものであり、本体の両側の脚板に奥行方向の中間部で上下に延びる折目線が入れられると共に、トレイの底板に奥行方向の中間部で幅方向に延びる折目線が入れられている。
【０００６】
そして、トレイを底板の折目線に沿って二つ折りにすると、本体の両側の脚板が折目線を軸に内側へ折り込まれて折畳状態となり、その状態からトレイの折り曲げを戻すと、脚板の折り曲げが戻されて組立状態となる。
【先行技術文献】
【特許文献】
【０００７】
【特許文献１】特開２０１４−３６７９４号公報
【発明の概要】
【発明が解決しようとする課題】
【０００８】
しかしながら、上記のような陳列台では、組立状態から折り畳む際、本体の脚板が折目線を軸に外側へ折れ曲がってしまうことがあるほか、組立状態において、本体からトレイが張り出して安定せず、トレイの底板が平坦に維持されない恐れがある。
【０００９】
そこで、この発明は、折畳状態と組立状態との変換を簡単かつ確実に行うことができ、組立状態で安定する陳列台を提供しようとするものである。
【課題を解決するための手段】
【００１０】
上記課題を解決するため、この発明に係る陳列台は、周壁を形成する各一対の脚板及び側板が連設され、前記一対の脚板の上端には、天壁を形成する天板がそれぞれ連設され、前記一対の側板には、奥行方向の中央部で上下に延びる谷折線がそれぞれ入れられ、
前記側板の上端には、谷折線の両側にそれぞれ連結片が連設され、前記連結片には、前記脚板との境界側の角から先端側へかけて内方向に傾斜する斜折線が入れられ、前記連結片の斜折線より外側の部分が隣り合う前記天板の裏面に貼り着けられ、前記天板の先端には、それぞれ差込片が連設されて下方へ折り曲げられ、
折畳状態では、前記連結片が斜折線を軸に折り曲げられて、前記一対の天板が跳ね上げられると共に、前記一対の側板が谷折線を軸に内側へ折り込まれ、これに伴い、前記一対の脚板同士が接近し、
組立状態では、前記一対の天板が先端側を降下させるように前記脚板から折り曲げられて、これに伴い、前記一対の側板の谷折線を軸とする折り曲げ及び前記連結片の斜折線を軸とする折り曲げが伸ばされ、前記一対の脚板同士が離反して、周壁が角筒状となり、前記差込片が突き合わされて前記連結片の間に差し込まれ、前記一対の天板が前記連結片によって支持されるものとしたのである。
【００１１】
また、前記一対の天板の差込片同士が連結部材により連結され、前記連結部材には、前記差込片の先端間に延びる中折線が入れられ、
折畳状態と組立状態との変換に際し、前記連結部材が前記中折線を軸として屈伸し、前記一対の天板が連動するものとしたのである。
【００１２】
また、前記一対の側板の内側に平行するように、前記一対の脚板の内面間に補強部材が渡され、前記補強部材にも前記側板と同様に谷折線が入れられ、
折畳状態と組立状態との変換に際し、前記側板と前記補強部材とがそれらの前記谷折線を軸に同調して屈伸し、組立状態では、前記一対の天板が前記補強部材の上端縁でも支持されるものとしたのである。
【００１３】
そして、前記補強部材には、前記谷折線の上端から差込溝が形成され、前記差込溝の開口部寄りには、溝幅を狭める抜止突起が設けられ、
組立状態では、前記一対の天板の差込片が前記差込溝に差し込まれ、前記連結部材が前記抜止突起より奥まで達して、前記抜止突起に係合することにより、前記差込溝から抜け止めされ、前記天板が固定されるものとしたのである。
【発明の効果】
【００１４】
この発明に係る陳列台では、側板と天板とが連結片により連結されているので、折畳状態から一対の天板の先端側を降下させ、差込片を連結片の間に差し込むだけで、これに連動して、一対の側板の谷折線を軸とする折り曲げが伸ばされ、周壁が角筒状となって、組み立てが完了し、一対の天板により平坦な天壁が形成される。
【００１５】
また、組立状態において、差込片を連結片の間から引き抜き、一対の天板を跳ね上げるだけで、一対の側板が谷折線を軸として確実に内側へ折れ曲がるので、一対の脚板同士を接近させて、簡単に折り畳むことができる。
【００１６】
さらに、差込片同士が連結部材により連結されているので、組み立てに際し、連結片の間に突き合わせた差込片を差し込む際、差込片の間に指を挟んだり、それぞれの差込片の端縁に指が引っ掛かったりすることがない。
【００１７】
また、一対の側板の内側に平行するように、一対の脚板の内面間に補強部材を渡し、組立状態では、一対の天板が連結片に加えて補強部材の上端縁でも支持されるようにしたので、重量のある商品でも安定して陳列することができる。
【００１８】
そのほか、補強部材の上端部に形成した差込溝に抜止突起を設け、組み立てに際し、一対の天板の差込片を差込溝に差し込むと、差込片の連結部材が抜止突起に係合して、差込片が差込溝から抜け止めされるようにしたので、天板がしっかりと固定され、使用時に天板が不意に浮き上がることもない。
【図面の簡単な説明】
【００１９】
【図１】この発明の実施形態に係る陳列台の組立状態を示す斜視図
【図２】同上の折畳状態と組立状態の変換過程を示す斜視図
【図３】同上の折畳状態を示す斜視図
【図４】同上の図２に示す変換過程の上部側面図
【図５】同上の図１に示す組立状態の上部側面図
【図６】同上の陳列台の構成部材のブランクを示す図
【発明を実施するための形態】
【００２０】
以下、この発明の実施形態を添付図面に基づいて説明する。
【００２１】
この陳列台は、図１に示すように、組立状態で周壁と天壁を有する直方体状をなし、天壁に商品等を載せて陳列するものであり、図６に示す本体１、補強部材２及び連結部材３のブランクから形成される。
【００２２】
本体１は、例えば、厚さ３ｍｍ程度のＢフルートの段ボールを材料とし、２枚継ぎ合わせて周壁及び天壁を形成するものである。本体１のブランクでは、周壁の長面をなす脚板１１の一側に、奥行方向の面となる側板１２及び接合用の継代１３が順次連設され、脚板１１の上端に天壁の半分をなす天板１４が連設されている。
【００２３】
側板１２には、幅方向の中央部で上下に延びる谷折線１５が入れられている。谷折線１５は、段ボールの表面側から押圧した逆罫線とされている。
【００２４】
側板１２の上端には、谷折線１５の両側にＬ字状の連結片１６が連設され、隣り合う連結片１６の間には、スロット状の隙間が設けられている。連結片１６には、脚板１１との境界側の角から先端側へかけて、側板１２の上辺に対し内方向に４５°傾斜する斜折線１７が入れられ、斜折線１７は、押罫に断続する切目を入れたリード罫とされている。
【００２５】
天板１４には、先端の全長にわたり差込片１８が連設され、脚板１１及び側板１２の下端には、底折片１９が額縁部を形成する２本の罫線を介して連設されている。側板１２の下端から延びる底折片１９は、谷折線１５の下方で切り離されている。
【００２６】
また、脚板１１、側板１２及び差込片１８の裏面には、製作時の位置決め用の目印が切込により各所に入れられている。
【００２７】
補強部材２は、例えば、厚さ５ｍｍ程度のＡフルートの段ボールを材料とし、２枚向き合わせて周壁の内部に設けられるものである。補強部材２のブランクでは、側板１２に対応する大きさの内補強板２１の両側に、貼着片２２が連設されている。
【００２８】
内補強板２１には、幅方向の中央部で上下に延びる谷折線２３が入れられている。内補強板２１と貼着片２２の境界の罫線及び谷折線２３は、押罫に断続する切目を入れたリード罫とされている。
【００２９】
また、内補強板２１の上部には、谷折線２３の上端から差込溝２４が形成され、差込溝２４の開口部寄りには、溝幅を狭める抜止突起が２５が両側に設けられている。貼着片２２の先端縁中央部には、製作時の位置決め用のＶ字状の切込が設けられている。
【００３０】
連結部材３は、例えば、厚さ３ｍｍ程度のＢフルートの段ボールを材料とし、本体１の差込片１８同士を連結する細長いものである。連結部材３のブランクでは、差込片１８同士を連結したとき、一対の差込片１８の先端間に延びる中折線３１が全長にわたり入れられ、中折線３１の中央部には、リボン取付穴３２が設けられている。
【００３１】
上記のようなブランクを折り曲げ、糊貼り加工して陳列台を製作する際には、最初に、図３に示すような折畳状態とする。その際、２枚の本体１の下部の底折片１９を、脚板１１及び側板１２の内面下部に折り重ねて貼り着け、側板１２を脚板１１の裏面側へ折り曲げると共に、谷折線１５に沿って表面側が窪む谷折り方向へ折り曲げる。
【００３２】
そして、それぞれの本体１の連結片１６を斜折線１７に沿って二つ折りにし、連結片１６の斜折線１７より外側の部分を、隣り合う天板１４の裏面に貼り着ける。また、継代１３を側板１２の裏面に折り重ねる。
【００３３】
次に、２枚の補強部材２を谷折線２３に沿って二つ折りにした状態で、対向させた２枚の本体１の間に挟み、それぞれの補強部材２の両側の貼着片２２を、本体１の脚板１１の内面に位置決めして貼り着ける。
【００３４】
また、２枚の本体１同士において、斜折線１７に沿って二つ折りにした連結片１６の斜折線１７より外側の部分を、相手方の本体１の天板１４の裏面に貼り着け、継代１３を相手方の脚板１１の側端部内面に貼り着けて、本体１同士を継ぎ合わせる。
【００３５】
また、２枚の本体１の差込片１８を下方へ折り曲げ、差込片１８同士を、その裏面に跨って連結部材３を貼り付けることにより連結する。このとき、一対の差込片１８の先端間に中折線３１を一致させ、連結部材３を中折線３１に沿って二つ折りにする。さらに、リボン取付穴３２に解体用のリボン４を挿通し、天板１４の裏面側でリボン４の両端部を連結部材３に貼り着ける。
【００３６】
このように製作した折畳状態では、側板１２と天板１４が連結片１６で繋がれ、連結片１６が斜折線１７を軸に折れ曲がり、一対の天板１４が跳ね上げられると共に、一対の側板１２が谷折線１５を軸に内側へ折り込まれ、これに伴い、一対の脚板１１同士が接近して、偏平になっているので、保管時や輸送時に嵩張ることがない。
【００３７】
一方、この陳列台を上記のような折畳状態から組み立てる際には、図２及び図４に示すように、折畳状態から一対の天板１４の先端側を降下させる。
【００３８】
このとき、側板１２と天板１４とが連結片１６により連結されているので、天板１４に連動して、一対の側板１２及び補強部材２の谷折線１５，２３を軸とする折り曲げ及び連結片１６の斜折線１７を軸とする折り曲げが伸ばされ、周壁が角筒状に形成される。
【００３９】
次いで、図１及び図５に示すように、突き合わされた差込片１８を連結片１６の間及び補強部材２の差込溝２４に差し込むと、組み立てが完了し、一対の天板１４が連結片１６及び補強部材２の上端でしっかりと支持され、平坦な天壁を形成するので、様々な商品を安定して陳列でき、汎用的な置台として活用できる。
【００４０】
この組み立てに際し、差込片１８同士が連結部材３により連結されているので、対向する差込片１８の隙間に指を挟んだり、それぞれの差込片１８の端縁に指が引っ掛かったりすることがない。
【００４１】
また、組立状態において、連結部材３が抜止突起２５に係合して、差込片１８が差込溝２４から抜け止めされ、天板１４が固定されるようにしたので、使用時に天板１４が不意に浮き上がることもない。
【００４２】
そして、上記のような組立状態での陳列終了後には、リボン４を上方へ引っ張って、図２及び図４に示すように、差込片１８を連結片１６の間及び差込溝２４から引き抜き、一対の天板１４を跳ね上げると、これに連動して、一対の側板１２及び補強部材２が谷折線１５，２３を軸として確実に内側へ折れ曲がり、図３に示すように、簡単に折り畳むことができる。
【００４３】
なお、上記実施形態では、２枚の本体１を継ぎ合わせて形成される大型のものを例示したが、サイズが小さい陳列台の場合には、１枚の本体１により周壁及び天壁が形成されるものとしてもよい。
【００４４】
また、周壁の内部に２枚の補強部材２を設けたものを例示したが、天板１４に載せる商品が軽量である場合には、補強部材２を省略してもよく、天板１４に載せる商品が相当重い場合には、さらに多数枚の補強部材２を設けるようにしてもよい。
【００４５】
また、リボン４を引っ張って折り畳むものを例示したが、リボン４に替えて、紐や針金等を天板１４の突合部に取り付けて、これを引っ張ることにより、折り畳むものとしてもよい。そのほか、天板１４や差込片１８の一部を上方へ折り返して、その部分を折畳時に引っ張る摘み部としてもよく、天板１４に指穴を設けて、折畳時には、その指穴に指を入れて天板１４を引き上げるようにしてもよい。
【００４６】
さらに、脚板１１、側板１２、底折片１９、及び内補強板２１の下部に耐水性のテープを貼り付けておくと、屋外や床が水に濡れている場所にも設置できる。
【符号の説明】
【００４７】
１  本体
２  補強部材
３  連結部材
４  リボン
１１  脚板
１２  側板
１３  継代
１４  天板
１５  谷折線
１６  連結片
１７  斜折線
１８  差込片
１９  底折片
２１  内補強板
２２  貼着片
２３  谷折線
２４  差込溝
２５  抜止突起
３１  中折線
３２  リボン取付穴
【図１】
2019213655.tif 000003
【図２】
2019213655.tif 000004
【図３】
2019213655.tif 000005
【図４】
2019213655.tif 000006
【図５】
2019213655.tif 000007
【図６】
2019213655.tif 000008